(57)【要約】      （修正有）【課題】吸湿発熱性繊維の発熱性を手を汚さずに容易に体感することができる、簡単な構造の吸湿発熱性繊維の発熱体感キットを提供する。【解決手段】吸湿発熱性繊維を入れた第一室２と、水を入れた第二室３とを含む密封袋状物１からなる発熱体感キットであって、第一室２と第二室３が弱シール部４を介して分離されており、密封袋状物１を端部から巻いていくことによって、第二室３の水を弱シール部４の方に押しやって弱シール部４のシールを破壊し、第二室３の水と第一室２の吸湿発熱性繊維を接触させることができるように構成されていることを特徴とする吸湿発熱性繊維の発熱体感キット。【選択図】図１
0003195065.tif 000002
【実用新案登録請求の範囲】
【請求項１】
吸湿発熱性繊維を入れた第一室と、水を入れた第二室とを含む密封袋状物からなる発熱体感キットであって、第一室と第二室が弱シール部を介して分離されており、密封袋状物を端部から巻いていくことによって、第二室の水を弱シール部の方に押しやって弱シール部のシールを破壊し、第二室の水と第一室の吸湿発熱性繊維を接触させることができるように構成されていることを特徴とする吸湿発熱性繊維の発熱体感キット。
【請求項２】
弱シール部が直鎖状低密度ポリエチレンからなることを特徴とする請求項１に記載の吸湿発熱性繊維の発熱体感キット。
【考案の詳細な説明】
【技術分野】
【０００１】
本考案は、吸湿発熱性繊維の発熱性を手を汚さずに容易に体感することができる、吸湿発熱性繊維の発熱体感キットに関する。
【背景技術】
【０００２】
従来から様々な吸湿発熱性繊維が提案されている。吸湿発熱性繊維は、水を吸収すると発熱する効果を有する繊維であり、例えば親水性基を持つポリマーを架橋してなる化学変性体を有するアクリル酸系吸湿発熱性繊維や、セルロース繊維などにアミノ基、カルボキシル基、又はヒドロキシル基などの官能基を導入した吸湿発熱性繊維が代表的である。
【０００３】
これらの吸湿発熱性繊維の発熱効果の体感は、現状では、適量の吸湿発熱性繊維を手に持ち、これに水をスプレー等で噴射した後に吸湿発熱性繊維を強く握ることによって行なわれている。
【０００４】
しかしながら、このような方法では、体感する人の手が吸湿発熱性繊維や水の材料で汚れてしまう問題があった。また、これらの材料の保管や体感時の小分けなどの管理が必要であり、極めて煩雑な作業を伴なう問題があった。
【考案の概要】
【考案が解決しようとする課題】
【０００５】
本考案は、上記の従来技術の問題に鑑み創案されたものであり、その目的は、吸湿発熱性繊維の発熱性を手を汚さずに容易に体感することができる、簡単な構造の吸湿発熱性繊維の発熱体感キットを提供することにある。
【課題を解決するための手段】
【０００６】
本考案者は、上記目的を達成するために材料に触れずに吸湿発熱性繊維の発熱性を体感できる簡易なキットについて鋭意検討した結果、吸湿発熱性繊維や水をそれぞれ別々の室内に入れた密封袋状物を用意し、両室の間を容易に破壊可能な弱シール部で分離することによって上記目的を達成できることを見出し、本考案の完成に至った。
【０００７】
即ち、本考案は、以下の（１）、（２）の構成を有するものである。
（１）吸湿発熱性繊維を入れた第一室と、水を入れた第二室とを含む密封袋状物からなる発熱体感キットであって、第一室と第二室が弱シール部を介して分離されており、密封袋状物を端部から巻いていくことによって、第二室の水を弱シール部の方に押しやって弱シール部のシールを破壊し、第二室の水と第一室の吸湿発熱性繊維を接触させることができるように構成されていることを特徴とする吸湿発熱性繊維の発熱体感キット。
（２）弱シール部が直鎖状低密度ポリエチレンからなることを特徴とする（１）に記載の吸湿発熱性繊維の発熱体感キット。
【考案の効果】
【０００８】
本考案の吸湿発熱性繊維の発熱体感キットは、吸湿発熱性繊維と水の材料が袋状物の別々の室に入れられていること、また体感を希望するときにのみ両材料が袋状物の中で接触できるようにしていることから、体感を希望する人がこれらの材料によって手を汚さずに発熱性を容易に体感することができる。また、使用される材料は、体感時まで別々に分離されて袋状物内で密封して保持されているので、保管や管理が容易である。
【図面の簡単な説明】
【０００９】
【図１】図１は、本考案の吸湿発熱性繊維の発熱体感キットの一例の概略図を示す。
【図２】図２は、図１の吸湿発熱性繊維の発熱体感キットを端部から巻いて第二室の水を弱シール部の方に押しやる様子の概略図を示す。
【考案を実施するための形態】
【００１０】
本考案の吸湿発熱性繊維の発熱体感キットについて、以下、図面を参照しながら詳述するが、本考案はこれらに限定されるものではない。
【００１１】
本考案の吸湿発熱性繊維の発熱体感キットは、図１に示すように、第一室２と第二室３とを含む密封袋状物１からなり、第一室２には発熱性を体感する吸湿発熱性繊維が入れられ、第二室３には水が入れられている。第一室２と第二室３の間には弱シール部４が設けられ、この弱シール部４を介して第一室２と第二室３が分離されている。密封袋状物１の形状は、第一室の吸湿発熱性繊維と第二室の水が袋状物から出ないような構造を有する限り様々な形状をとることができ、平面視で長方形、正方形などの四角形、その他の多角形の形状を有する袋状物であることが好ましい。
【００１２】
本考案の発熱体感キットに使用される吸湿発熱性繊維としては、水と接触すると発熱する機能を有する限り特に制限はなく、従来公知の様々な繊維を使用することができる。例えば、親水基を持つポリマーを架橋してなる化学変性体を有するアクリル酸系吸湿発熱繊維や、合成繊維やセルロース繊維にアミノ基、カルボキシル基又はヒドロキシル基を導入した湿潤発熱性繊維が例示される。具体的には、アクリレート系繊維である東洋紡社製のモイスケア（東洋紡株式会社  登録商標）を挙げることができる。また、吸湿発熱性化合物を練り込んだ繊維や吸湿発熱性化合物を含む繊維表面処理剤を繊維表面に固着させた繊維であっても良い。吸湿発熱性化合物としては、アミノ基、ヒドロキシル基、スルホ基、カルボキシル基、リン酸基などを有する吸湿発熱性が得られる化合物であれば特に限定されない。一つの発熱体感キットに使用される吸湿発熱性繊維の量は、１〜３０ｇが好ましく、２〜２０ｇがより好ましい。
【００１３】
本考案の発熱体感キットに使用される水としては、水道水、天然水、蒸留水、イオン交換水など様々な種類の水を使用することができ、着色剤、防腐剤などの添加物を適宜混合することができる。一つの発熱体感キットに使用される水の量は、１〜３０ｇが好ましく、３〜２０ｇがより好ましい。
【００１４】
本考案の発熱体感キットに使用される密封袋状物としては、水蒸気の透過を抑制するバリア性を有するフィルムやシートを用いることが好ましい。蒸気の透過を抑制するバリア性を付与するためにはバリア性を有するフィルムの積層や樹脂のコーティングすることで得ることができる。
【００１５】
本考案の発熱体感キットに使用される弱シール部４は、当業者に公知の材料に基づいて形成すればよく、その接着性の程度は、通常時は十分な接着性が維持され、第二室の水と第一室の吸湿発熱性繊維の間の接触が完全に防止されるが、密封袋状物を端部から巻いていって第二室の水を弱シール部４の方に押しやった場合に、弱シール部４のシール（接着部）が容易に破壊され、第二室の水と第一室の吸湿発熱性繊維の接触が可能になるように設定される。弱シール部４の例としては、直鎖状低密度ポリエチレンが挙げられる。また、弱シール材料は、接着面を十分に取ることで密封袋状物の周囲を封止接着するために用いることもできる。
【００１６】
本考案の発熱体感キットは、当業者に公知の製造方法によって作製することができ、例えば外側に水蒸気（湿気）の透過を抑制するバリア性ポリエステルまたはバリア性ナイロンなどの層を設け、内側に密封袋状物の周囲を封止接着するためのポリエチレンなどの層を設け、さらに内側の弱シール部に相当する部分に弱シール性の特殊な直鎖状低密度ポリエチレンの層を設けた長方形のフィルムを２枚用意し、これらのフィルムをぴったりと内側同士合わせて長手方向の両端部を熱封止し、次いで弱シール部を熱封止した後、弱シール部を境にして上下の室に吸湿発熱性繊維と水をそれぞれ入れて上下の端部を熱封止することによって製造されることができる。
【００１７】
本考案の発熱体感キットで吸湿発熱性繊維の発熱性を体感するには、例えば図２に示すように、密封袋状物１の水が入れられた第二室３側の端部から手で巻いていくことによって、第二室３の水を弱シール部４の方に押しやり、それにより弱シール部４のシールを破壊し、第二室３の水と第一室２の吸湿発熱性繊維を接触させることによって、吸湿発熱性繊維の発熱状態を密封袋状物１の外部表面から手で体感することができる。
【産業上の利用可能性】
【００１８】
本考案の発熱体感キットは、吸湿発熱性繊維や水に直接触れることなく、簡単な方法で吸湿発熱性繊維の発熱性を体感できるので、極めて有用である。
【符号の説明】
【００１９】
１      密封袋状物
２      第一室
３      第二室
４      弱シール部
【図１】
0003195065.tif 000003
【図２】
0003195065.tif 000004